(57)【要約】【課題】マイコン等による待機電流の消費を抑制し、開閉動作時だけ電力を消費可能とする。【解決手段】開閉停の各押しボタンスイッチのいずれか一つが押圧操作された場合に、開閉制御手段は電力供給手段から電力の供給を受けて開閉停の各動作を電動で制御可能な待機状態に設定されるように構成したものである。また、この待機状態設定後に所定の時間が経過した場合に電力供給手段からの電力の供給を停止する。これによって、開閉停の各押しボタンスイッチが人為的に操作された場合に限り、開閉制御手段は電力供給手段から電力の供給を受けるようになるので、マイコン等による待機電流の消費を抑制し、開閉動作時だけ電力を消費することができる。【選択図】  図３
2014218853.tif 000002
【特許請求の範囲】
【請求項１】
開口部を開閉するように動作する開閉手段と、
開閉停の各押しボタンスイッチを備えたスイッチ手段と、
前記スイッチ手段の操作状態に応じて前記開閉手段の開閉停の各動作を電動で制御する開閉制御手段と、
前記開閉制御手段に電力を供給する電力供給手段とを備えた開閉体制御システムにおいて、
前記開閉制御手段が、前記開閉停の各押しボタンスイッチのいずれか一つが押圧操作された場合に、前記電力供給手段から電力の供給を受けて前記開閉停の各動作を電動で制御可能な待機状態に設定され、この待機状態設定後に所定の時間が経過した場合に前記電力供給手段からの電力の供給を停止するように動作することを特徴とする開閉体制御システム。
【請求項２】
開口部を開閉するように動作する開閉手段と、
開閉停の各押しボタンスイッチを備えたスイッチ手段と、
前記スイッチ手段の操作状態に応じて前記開閉手段の開閉停の各動作を電動で制御する開閉制御手段と、
前記開閉制御手段に電力を供給する電力供給手段とを備えた開閉体制御システムにおいて、
前記開閉制御手段が、前記開閉停の各押しボタンスイッチのうち前記停の押しボタンスイッチが押圧操作された場合に、前記電力供給手段から電力の供給を受けて前記開閉停の各動作を電動で制御可能な待機状態に設定され、この待機状態設定後に所定の時間が経過した場合に前記電力供給手段からの電力の供給を停止するように動作することを特徴とする開閉体制御システム。
【請求項３】
開口部を開閉するように動作する開閉手段と、
開閉停の各押しボタンスイッチを備えたスイッチ手段と、
前記スイッチ手段の操作状態に応じて前記開閉手段の開閉停の各動作を電動で制御する開閉制御手段と、
前記開閉制御手段に電力を供給する電力供給手段とを備えた開閉体制御システムにおいて、
前記開閉制御手段が、前記開閉停の各押しボタンスイッチのうち前記開又は閉の押しボタンスイッチが押圧操作された場合に、前記電力供給手段から電力の供給を受けて前記開閉停の各動作を電動で制御可能な待機状態に設定され、この待機状態設定後に所定の時間が経過した場合に前記電力供給手段からの電力の供給を停止するように動作することを特徴とする開閉体制御システム。
【請求項４】
請求項１、２又は３に記載の開閉体制御システムにおいて、前記電力供給手段から前記開閉制御手段に対して、前記開閉停の各押しボタンスイッチの押圧操作とは無関係に、常時電力を供給して前記開閉制御手段を前記待機状態に設定可能なスイッチ手段を設けたことを特徴とする開閉体制御システム。
【発明の詳細な説明】
【技術分野】
【０００１】
本発明は、ビル、工場、倉庫などの建物を含む構造物躯体の開口部などをシャッターなどの開閉体を用いて仕切るように構成された開閉体装置に係り、特に開閉体の開閉動作をマイコン制御で行うように構成された開閉体装置に関する。
【背景技術】
【０００２】
シャッターカーテンなどのような開閉体装置は、住宅、ビル、工場、倉庫、車庫などの建物を含む構造物躯体の開口部や窓部あるいは内部の通路や空間などの開口部に設置され、その開閉体を移動させることによってその開口部を開放、閉鎖するものである。この開閉体装置は、多数の短冊状のスラット材からなるスラットカーテン、多数のパイプ材をリンク材などで連結させてなるパイプグリルカーテン、一枚状あるいは多数連結されたパネル材からなるパネルカーテン、ネット材からなるネットカーテン、合成樹脂あるいは布繊維製のシート材からなるシートカーテン、あるいはこれらの複合部材などからなる複合カーテンなどの開閉体を、開口部の上部から繰り出し下降させて開口部全体を閉鎖するように構成されている。このような開閉体装置は、開閉体の開閉動作を電動で行なう場合が多い。電動の開閉体装置としては、電動シャッター装置、電動ドア装置、電動オーニング装置などがある。通常、電動の開閉体装置は、電動モータなどの駆動装置を備えており、この駆動装置をマイコンなどで制御することによってシャッターカーテン、ドア本体、キャンバスなどの開閉体の開閉動作を制御している。このような開閉動作を電動で行なう開閉体装置として、特許文献１に記載されたものが知られている。
【先行技術文献】
【特許文献】
【０００３】
【特許文献１】特開２００７−１３８３９４号公報
【発明の開示】
【発明が解決しようとする課題】
【０００４】
特許文献１に記載のようなマイコンを搭載したシャッター開閉機制御盤等を備えた開閉体装置は、待機状態でも常にマイコンに電流（待機電流）を流す構造となっている。そのため、一日に数回程度しか動作しない場合には、経済的、環境的に好ましくなく、省電力の観点からも改善することが好ましい。
【０００５】
本発明は、上述の点に鑑みてなされたものであり、マイコン等による待機電流の消費を抑制し、開閉動作時だけ電力を消費可能な開閉体装置を提供することを目的とする。
【課題を解決するための手段】
【０００６】
本発明の開閉体装置の第１の特徴は、開口部を開閉するように動作する開閉手段と、開閉停の各押しボタンスイッチを備えたスイッチ手段と、前記スイッチ手段の操作状態に応じて前記開閉手段の開閉停の各動作を電動で制御する開閉制御手段と、前記開閉制御手段に電力を供給する電力供給手段とを備えた開閉体制御システムにおいて、前記開閉制御手段が、前記開閉停の各押しボタンスイッチのいずれか一つが押圧操作された場合に、前記電力供給手段から電力の供給を受けて前記開閉停の各動作を電動で制御可能な待機状態に設定され、この待機状態設定後に所定の時間が経過した場合に前記電力供給手段からの電力の供給を停止するように動作することにある。
開閉手段は、ビル、住宅、工場、倉庫等の建物などの構造物における、出入口や窓部、あるいは内部の通路や空間などの開口部などを開閉移動するシャッターカーテンなどの開閉部材で構成される。開閉手段が、シャッターカーテンの場合には、建物などの開口部の周縁部の一つである上部に収納され、まぐさなどを通過してシャッターカーテンが下降し、開口部を開閉する。これ以外にも開閉手段が開口部の側部に収納され横引き方式で開閉移動したり、開口部の下部に収納され上昇方式で開閉移動したりすることもある。また、開閉手段には、閉鎖によって開口部を全閉できるものも全閉できないものも含む。この発明では、開閉停の各押しボタンスイッチのいずれか一つが押圧操作された場合に、開閉制御手段は電力供給手段から電力の供給を受けて開閉停の各動作を電動で制御可能な待機状態に設定されるように構成したものである。また、この待機状態設定後に所定の時間が経過した場合に電力供給手段からの電力の供給を停止する。これによって、開閉停の各押しボタンスイッチが人為的に操作された場合に限り、開閉制御手段は電力供給手段から電力の供給を受けるようになるので、マイコン等による待機電流の消費を抑制し、開閉動作時だけ電力を消費することができるという効果を奏する。
【０００７】
本発明の開閉体装置の第２の特徴は、開口部を開閉するように動作する開閉手段と、開閉停の各押しボタンスイッチを備えたスイッチ手段と、前記スイッチ手段の操作状態に応じて前記開閉手段の開閉停の各動作を電動で制御する開閉制御手段と、前記開閉制御手段に電力を供給する電力供給手段とを備えた開閉体制御システムにおいて、前記開閉制御手段は、前記開閉停の各押しボタンスイッチのうち前記停の押しボタンスイッチが押圧操作された場合に、前記電力供給手段から電力の供給を受けて前記開閉停の各動作を電動で制御可能な待機状態に設定され、この待機状態設定後に所定の時間が経過した場合に前記電力供給手段からの電力の供給を停止するように動作することにある。これは、開閉停の各押しボタンスイッチの中の停の押しボタンスイッチが押圧操作された場合に限り、開閉制御手段が電力供給手段から電力の供給を受けて待機状態に設定されるように構成したものである。
【０００８】
本発明の開閉体装置の第３の特徴は、開口部を開閉するように動作する開閉手段と、開閉停の各押しボタンスイッチを備えたスイッチ手段と、前記スイッチ手段の操作状態に応じて前記開閉手段の開閉停の各動作を電動で制御する開閉制御手段と、前記開閉制御手段に電力を供給する電力供給手段とを備えた開閉体制御システムにおいて、前記開閉制御手段が、前記開閉停の各押しボタンスイッチのうち前記開又は閉の押しボタンスイッチが押圧操作された場合に、前記電力供給手段から電力の供給を受けて前記開閉停の各動作を電動で制御可能な待機状態に設定され、この待機状態設定後に所定の時間が経過した場合に前記電力供給手段からの電力の供給を停止するように動作することにある。これは、開閉停の各押しボタンスイッチの中の開又は閉の押しボタンスイッチが押圧操作された場合に限り、開閉制御手段が電力供給手段から電力の供給を受けて待機状態に設定されるように構成したものである。
【０００９】
本発明の開閉体装置の第４の特徴は、前記第１、第２又は第３の特徴に記載の開閉体制御システムにおいて、前記電力供給手段から前記開閉制御手段に対して、前記開閉停の各押しボタンスイッチの押圧操作とは無関係に、常時電力を供給して前記開閉制御手段を前記待機状態に設定可能なスイッチ手段を設けたことにある。これは、開閉停の各押しボタンスイッチの押圧操作に応じて開閉制御手段を動作待機状態に設定する場合について説明したが、ディップスイッチ等のスイッチ手段を用いて、動作待機状態の設定を変更できるようにしたものである。
【発明の効果】
【００１０】
本発明の開閉体装置によれば、マイコン等による待機電流の消費を抑制し、開閉動作時だけ電力を消費可能できるという効果がある。
【図面の簡単な説明】
【００１１】
【図１】本発明に係るシャッター装置の概略構成の一例を示す図である。
【図２】本発明に係る開閉体装置内の制御回路の実施例を示す回路構成図である。
【図３】本発明に係る開閉体装置内の制御回路の別の実施例を示す回路構成図である。
【発明を実施するための最良の形態】
【００１２】
以下添付図面に従って本発明に係る開閉装置の好ましい実施の形態について説明する。この実施の形態では開閉手段として上下に開閉動作されるシャッター装置を例に説明する。図１は、本発明に係るシャッター装置の概略構成の一例を示す図である。図１において、開閉装置１０は出入口の開口部を開閉するシャッター装置である。
【００１３】
この開閉装置１０は、ガイドレール１１，１２、開閉体１３、ボックス１４、商用電源１５及び押釦スイッチ１６から構成される。ガイドレール１１，１２は出入口や窓等の開口部の左右両側縁部に設けられ、開閉体１３の両端部を上下方向に案内するガイドである。ガイドレール１１，１２の上端部側は、ボックス１４内に挿入されている。開閉体１３は出入口の開口部を開閉するもので、例えば複数枚の金属製のスラット等にて構成され、ボックス１４内に設けられた巻取軸（図示せず）に巻き取られ、また巻き戻されることによって、ガイドレール１１，１２に沿って開口部を開閉移動する。
【００１４】
ボックス１４は、開閉体１３の開閉移動を制御する駆動装置となる直流モータ１４１と、この直流モータ１４１を制御する制御回路１４２とを内蔵している。制御回路１４２は、ＣＰＵ、メモリ等にて構成されたマイクロコンピューター構成となっている。なお、ボックス１４内にはこれ以外の構造物も存在するがここではこれらの説明及び図示は省略する。ボックス１４内の制御回路１４２には、外部からＡＣ１００［Ｖ］の商用電源１５が供給されている。
【００１５】
押釦スイッチ１６は、開閉体１３の開閉停を制御する操作信号を制御回路１４２に出力する開スイッチ、停止スイッチ、閉スイッチを備えている。押釦スイッチ１６の開スイッチ、停止スイッチ、閉スイッチは、それぞれ信号線を介して制御回路１４２に接続されている。また、制御回路１４２のアース線は、押釦スイッチ１６の各開スイッチ、停止スイッチ、閉スイッチにそれぞれ接続されている。制御回路１４２は、押釦スイッチ１６の開スイッチ、停止スイッチ又は閉スイッチが操作されたときに、商用電源１５からの電力を用いて開閉体用の直流モータ１４１の回転軸を回転させ、開閉体１３を昇降停止動作させる機能を有している。
【００１６】
図２は、本発明に係る開閉体装置内の制御回路の実施例を示す回路構成図である。図２では、ＡＣ１００［Ｖ］の商用電源がトランスを介して１２［Ｖ］に降圧されて供給されている。図２において、定電流電源５０は、通常はリレーＲ１の第１接点Ｒ１−１が開いたオフ状態にあるため、定電流を供給していない。この状態で、押釦スイッチ１６の停止スイッチが押圧操作されると、トランジスタＴｒ１へ動作電源（１２［Ｖ］）が供給される。トランジスタＴｒ１の動作によって、リレーＲ１に電流が流れ、リレーＲ１の第１接点Ｒ１−１及び第２接点Ｒ１−２がそれぞれ接続される。
【００１７】
リレーＲ１の第１接点Ｒ１−１が接続されると、それに応じて降圧された１２［Ｖ］が定電流電源５０に供給され、定電流電源５０が動作を開始する。これによって、レギュレータ６０からＣＰＵ７０及びその他のトランジスタＴｒ２及びリレーＲ２へ５［Ｖ］の動作電源が供給されるようになる。ＣＰＵ７０は、レギュレータ６０を介して５［Ｖ］の動作電源の供給を受けることによって、動作待機状態となる。一方、リレーＲ１の第２接点Ｒ１−２が接続されることによって、リレーＲ１は自己保持されるようになるので、ＣＰＵ７０の動作待機状態は保持されるようになる。また、これと同時にレギュレータ６０から５［Ｖ］の動作電源の供給を受けることによって、トランジスタＴｒ３が動作し、ＣＰＵ７０に対して停止スイッチの操作信号が出力される。
【００１８】
動作待機状態にあるＣＰＵ７０は、押釦スイッチ１６の開スイッチ又は閉スイッチの操作に伴って、シャッターの開閉動作を実行するようになる。そして、ＣＰＵ７０は、開閉動作終了後、一定時間（可変可能）が経過した時点で、トランジスタＴｒ２を動作させて、リレーＲ２を作動させることによってリレーＲ２の接点を閉じる。これによって、リレーＲ１の第２接点Ｒ１−２による自己保持が解除され、リレーＲ１の第１接点Ｒ１−１が開き、ＣＰＵ７０に対して、動作電源の供給が停止され、ＣＰＵ７０は動作停止状態となる。
【００１９】
図２の回路構成において、停止スイッチが操作されていない通常の場合は、開スイッチや閉スイッチには、常に例えば１２［Ｖ］の動作電源が供給されていて、その操作信号がＣＰＵ７０に出力されていたとしても、上述したようにリレーＲ１の第１接点Ｒ１−１が開いたオフ状態になっているため、ＣＰＵ７０には動作電源が供給されておらず、そのスイッチの操作に伴うシャッターの動作は実行されないが、停止スイッチの操作がなされるとＣＰＵ７０に動作電源が供給されるので、動作待機状態にあるＣＰＵ７０は、図２には示されていないが、例えばＡＣ１００［Ｖ］の商用電源がトランスを介して１２［Ｖ］に降圧されて動作電源として供給されている押釦スイッチ１６の開スイッチ又は閉スイッチの操作に伴って出力された操作信号によりシャッターの開閉動作を実行するようになる。
【００２０】
図２での説明と同様、通常の場合は、リレーＲ１の第１接点Ｒ１−１が開いたオフ状態になっているため、ＣＰＵ７０には動作電源が供給されていない。しかし、開スイッチ又は閉スイッチには図３で示されているように、ＡＣ１００［Ｖ］の商用電源がトランスを介して１２［Ｖ］に降圧されて動作電源として供給されているため、押釦スイッチ１６の開スイッチ又は閉スイッチの押圧操作に伴って、リレーＲ１の第１接点Ｒ１−１が閉じて、ＣＰＵ７０には動作電源が供給されるとともに、押釦スイッチ１６の開スイッチ又は閉スイッチの操作信号がＣＰＵ７０に出力されるため、押釦スイッチ１６の開スイッチ又は閉スイッチの操作に応じた開閉動作を実行できるようになる。そして、図２の説明で述べたように、開閉動作終了後、例えば制御回路が有するタイマ監視により一定時間（可変可能）が経過した時点で、リレーＲ１の第１接点Ｒ１−１が開き、ＣＰＵ７０は動作停止状態となる。
【００２１】
図３は、本発明に係る開閉体装置内の制御回路の別の実施例を示す回路構成図である。図３において、図２と同じ構成のものには同一の符号が付してあるので、その説明は省略する。図３の制御回路が図２のものと異なる点は、押釦スイッチ１６の開スイッチ又は閉スイッチが押圧操作された場合に、トランジスタＴｒ１へダイオードを介して、それぞれ動作電源（１２［Ｖ］）が供給されるようにした点である。また、押釦スイッチ１６の開スイッチ及び閉スイッチに対応してそれぞれ設けられたトランジスタＴｒ４，Ｔｒ５によって、ＣＰＵ７０に対して開スイッチ及び閉スイッチの操作信号が出力されるように構成されている点である。これによって、押釦スイッチ１６の開スイッチ又は閉スイッチが押圧操作されることによって、ＣＰＵ７０に動作電源が供給され、動作待機状態となり、押釦スイッチ１６の開スイッチ又は閉スイッチの操作に応じた開閉動作を実行できるようになる。
【００２２】
上述の実施の形態では、押釦スイッチ１６の開閉停スイッチのいずれかの押圧操作に応じてＣＰＵ７０を動作待機状態にする場合について説明したが、ディップスイッチ等の設定を変更することによって、リレーＲ２が作動しないように、デフォルト設定を変更可能としてもよい。
【００２３】
この実施の形態に係る開閉装置１０には、開閉中に障害物への接触を検出する障害物感知装置が設けられていないが、開閉体１３の下端部の座板上に障害物感知装置を設けてもよい。開閉体１３が閉動作中に座板が障害物に接触した場合には、開閉体１３の閉動作が停止されるようになる。
【００２４】
上述の実施の形態では、上下昇降方式で繰り出されるシャッターカーテンを例に説明したが、シャッター状の開閉部材が横引き方式で繰り出されたり、あるいは水平方式で繰り出されたりするものであっても同様に適用することができる。また、開閉装置としては、例えば、シャッター装置、窓シャッター装置、ブラインド装置、ロールスクリーン装置、垂れ幕装置、引戸装置、移動間仕切装置、オーニング装置、防水板装置などにも適用可能である。
【符号の説明】
【００２５】
１０…開閉装置
１１…ガイドレール
１３…開閉体
１４…ボックス
１４１…直流モータ
１４２…制御回路
１５…商用電源
１６…押釦スイッチ
５０…定電流電源
６０…レギュレータ
７０…ＣＰＵ
Ｔｒ１，Ｔｒ２，Ｔｒ３，Ｔｒ４，Ｔｒ５…トランジスタ
Ｒ１，Ｒ２…リレー
【図１】
2014218853.tif 000003
【図２】
2014218853.tif 000004
【図３】
2014218853.tif 000005